(57)【要約】【課題】紙と紙以外の細断対象物の細断片とを混じり合わないようにため込むことができるようにすると共に、いずれか一方の細断片のみの細断が必要とされる場合には、いずれか一方の細断片をできるだけ多くため込めるようにする。【解決手段】シュレッダ本体１は、紙を細断する第一細断機構１０’と、紙以外の細断対象物の第二細断機構１０”とを内蔵位置を異ならせるようにして内蔵している。第二細断機構１０”における細断によって生じる細断片の排出部が補助ダストボックス２１の上面開口２１１の上方に位置し、かつ、第一細断機構１０’における細断によって生じる細断片の排出部が補助ダストボックス２１の上面開口２１１の上方に位置されないように、この補助ダストボックス２１を主ダストボックス２０内に位置づけさせる位置決め手段３を備えている。【選択図】図６
2005305319.tif 000002
【特許請求の範囲】
【請求項１】
上面開口の主ダストボックスと、
この主ダストボックス内に出し入れ可能に入れ込まれる上面開口の補助ダストボックスと、
主ダストボックスの上面開口を塞ぐようにこの主ダストボックスの上部に取り外し可能に組み合わされるシュレッダ本体とを備えるシュレッダであって、
シュレッダ本体は、紙を細断する第一細断機構と、紙以外の細断対象物の第二細断機構とを内蔵位置を異ならせるようにして内蔵していると共に、
第二細断機構における細断によって生じる細断片の排出部が補助ダストボックスの上面開口の上方に位置し、かつ、第一細断機構における細断によって生じる細断片の排出部が補助ダストボックスの上面開口の上方に位置されないように、この補助ダストボックスを主ダストボックス内に位置づけさせる位置決め手段を備えていることを特徴とするシュレッダ。
【請求項２】
位置決め手段が、主ダストボックスの底部および補助ダストボックスの底部のいずれか一方に形成された突部と、これらの他方に形成されて主ダストボックス内への補助ダストボックスの入れ込みによってこの突部の入り込む凹部とによって構成されていることを特徴とする請求項１記載のシュレッダ。
【請求項３】
主ダストボックスの一つの内側面に補助ダストボックスの一つの外側面が接するようになっており、
位置決め手段が、主ダストボックスの底部から突出すると共に、主ダストボックス内への補助ダストボックスの入れ込みによって、この補助ダストボックスの前記一つの外側面に対向する位置にある他の一つの外側面に、この補助ダストボックスの底部側で接する突出部によって構成されていることを特徴とする請求項１又は請求項２記載のシュレッダ。
【請求項４】
主ダストボックスの一つの内側面に補助ダストボックスの一つの外側面が接するようになっており、
位置決め手段が、シュレッダ本体の下部から突出すると共に、主ダストボックス内に入れ込まれた補助ダストボックスの前記一つの外側面に対向する位置にある他の一つの外側面に、この補助ダストボックスの上部側で接する突出部によって構成されていることを特徴とする請求項１から請求項３のいずれか１項に記載のシュレッダ。
【請求項５】
位置決め手段が、主ダストボックスの上部および補助ダストボックスの上部のいずれか一方に形成された上下方向に延びるリブと、これらの他方に形成されると共にこれらの他方の上面開口において溝上端を解放させて主ダストボックス内への補助ダストボックスの入れ込みによって前記リブの入り込む割溝とによって構成されていることを特徴とする請求項１から請求項４のいずれか１項に記載のシュレッダ。
【発明の詳細な説明】
【技術分野】
【０００１】
この発明は、細断機構を内蔵したシュレッダ本体と、上面開口のダストボックスとを有し、このダストボックスの上部にこのシュレッダ本体を取り外し可能に組み合わせてなり、シュレッダ本体における細断により下方に排出される細断片をこのダストボックスにため込むように構成されたシュレッダの改良に関する。
【背景技術】
【０００２】
紙とＯＨＰ用紙などとを分別しながら細断すると共に、紙の細断片とＯＨＰ用紙の細断片とを別個の収納部に収納するようにしたシュレッダがある。（特許文献１参照）
【０００３】
しかるに、かかるシュレッダは紙とＯＨＰ用紙を透過率センサによって識別した上で、収納切換板を動作させて、これらの細断片を混じり合わないように別個の収納部に案内させるものであり、いきおい構造を複雑とするものである。
【０００４】
また、細断の頻度としては紙の方が多く、収納部のうちＯＨＰ用紙の細断片の収納部の活用場面はさほど多くないにもかかわらず、紙の細断片の収納部を常にシュレッダ下部の区分された一定の容積分とさせてしまう不具合を有するものであった。
【特許文献１】特開平７−２４３４８号公報
【発明の開示】
【発明が解決しようとする課題】
【０００５】
この発明が解決しようとする主たる問題点は、紙と紙以外の細断対象物との双方を細断し得る構造を備えたシュレッダにおいて、紙の細断片と紙以外の細断対象物の細断片とを混じり合わないように廃棄までの間ため込むことができるようにすると共に、いずれか一方の細断片のみの細断が必要とされる場合には、このいずれか一方の細断片をできるだけ多くため込めるようにする点にある。
【課題を解決するための手段】
【０００６】
前記問題点を解決するために、この発明にあってはシュレッダが以下の（１）〜（５）の構成を備えたものとした。
（１）上面開口の主ダストボックスと、
（２）この主ダストボックス内に出し入れ可能に入れ込まれる上面開口の補助ダストボックスと、
（３）主ダストボックスの上面開口を塞ぐようにこの主ダストボックスの上部に取り外し可能に組み合わされるシュレッダ本体とを備えるシュレッダであって、
（４）シュレッダ本体は、紙を細断する第一細断機構と、紙以外の細断対象物の第二細断機構とを内蔵位置を異ならせるようにして内蔵していると共に、
（５）第二細断機構における細断によって生じる細断片の排出部が補助ダストボックスの上面開口の上方に位置し、かつ、第一細断機構における細断によって生じる細断片の排出部が補助ダストボックスの上面開口の上方に位置されないように、この補助ダストボックスを主ダストボックス内に位置づけさせる位置決め手段を備えている。
【０００７】
かかる構成によれば、第一細断機構における細断から生じる紙の細断片と、第二細断機構における細断から生じる紙以外の細断対象物の細断片とを、分別した状態で廃棄するまでの間ダストボックスにおいて蓄えておくことができる。
【０００８】
また、紙と紙以外の細断対象物とのいずれか一方のみを細断する必要がある場合、主ダストボックス内から補助ダストボックスを抜き出した状態で、この主ダストボックスにシュレッダ本体を組み合わせることにより、主ダストボックスの容量の全てを活用してこのいずれか一方の細断片を蓄えておくことができる。
【０００９】
ダストボックスが細断片で一杯になった場合には、ダストボックスとシュレッダ本体とを分離させることにより、容易にこの細断片をダストボックスから取り出して廃棄させることができる。
【００１０】
前記位置決め手段を、主ダストボックスの底部および補助ダストボックスの底部のいずれか一方に形成された突部と、これらの他方に形成されて主ダストボックス内への補助ダストボックスの入れ込みによってこの突部の入り込む凹部とによって構成させておくこともある。
【００１１】
このようにした場合、主ダストボックス内に補助ダストボックスを単純に入れ込むだけで、補助ダストボックスの上面開口が第二細断機構の排出部の直下に安定的に位置され、かつ、第一細断機構の排出部の直下に予期せず位置されてしまうことがないようにすることができる。
【００１２】
前記主ダストボックスの一つの内側面に補助ダストボックスの一つの外側面が接するようになっており、
前記位置決め手段を、主ダストボックスの底部から突出すると共に、主ダストボックス内への補助ダストボックスの入れ込みによって、この補助ダストボックスの前記一つの外側面に対向する位置にある他の一つの外側面に、この補助ダストボックスの底部側で接する突出部によって構成させておくこともある。
【００１３】
このようにした場合、補助ダストボックスの装填位置を使用者に明示させることができると共に、主ダストボックス内に補助ダストボックスを単純に入れ込むだけで、補助ダストボックスの上面開口が第二細断機構の排出部の直下により安定的に位置され、かつ、第一細断機構の排出部の直下に予期せず位置されてしまうことがないようにすることができる。
【００１４】
前記主ダストボックスの一つの内側面に補助ダストボックスの一つの外側面が接するようになっており、
前記位置決め手段を、シュレッダ本体の下部から突出すると共に、主ダストボックス内に入れ込まれた補助ダストボックスの前記一つの外側面に対向する位置にある他の一つの外側面に、この補助ダストボックスの上部側で接する突出部によって構成させておくこともある。
【００１５】
このようにした場合、主ダストボックスの所定の位置に補助ダストボックスを装填させた後、この主ダストボックス上にシュレッダ本体を載せ置き状に組み合わせることにより、主ダストボックス内に入れ込まれた補助ダストボックスの上面開口が第二細断機構の排出部の直下に位置されるように、この補助ダストボックスの上部側においても支持させることができる。
【００１６】
また、前記位置決め手段を、主ダストボックスの上部および補助ダストボックスの上部のいずれか一方に形成された上下方向に延びるリブと、これらの他方に形成されると共にこれらの他方の上面開口において溝上端を解放させて主ダストボックス内への補助ダストボックスの入れ込みによって前記リブの入り込む割溝とによって構成させておくこともある。
【００１７】
このようにした場合にも、主ダストボックス内に補助ダストボックスを単純に入れ込むだけで、補助ダストボックスの上面開口が第二細断機構の排出部の直下に安定的に位置され、かつ、第一細断機構の排出部の直下に予期せず位置されてしまうことがないようにすることができる。
【発明の効果】
【００１８】
この発明にかかるシュレッダによれば、紙の細断片と紙以外の細断対象物の細断片とを混じり合わないように廃棄までの間ため込むことができると共に、いずれか一方の細断片のみの細断が必要とされる場合には、主ダストボックス内から補助ダストボックスを抜き出すことにより、このいずれか一方の細断片をできるだけ多くため込めるようにすることができる。
【発明を実施するための最良の形態】
【００１９】
以下、図１ないし図８に基づいて、この発明を実施するための最良の形態について説明する。
【００２０】
なお、ここで図１ないし図６は、実施の形態にかかるシュレッダをそれぞれ表しており、また、図７は、かかるシュレッダのダストボックス２を構成する主ダストボックス２０と補助ダストボックス２１とを分離させた状態として示している。また、図８は、かかるダストボックス２の構成の一部を変更させた例を示している。
【００２１】
この実施の形態にかかるシュレッダは、細断機構１０を内蔵したシュレッダ本体１と、上面開口のダストボックス２とを有し、このダストボックス２の上部にこのシュレッダ本体１を取り外し可能に組み合わせてなるものであって、シュレッダ本体１における細断により下方に排出される細断片をこのダストボックス２にため込むように構成されたものである。
【００２２】
かかるシュレッダは、
（１）上面開口２０１を備えた主ダストボックス２０と、
（２）この主ダストボックス２０内に出し入れ可能に入れ込まれる上面開口２１１を備えた補助ダストボックス２１と、
（３）主ダストボックス２０の上面開口２０１を塞ぐようにこの主ダストボックス２０の上部に取り外し可能に組み合わされるシュレッダ本体１とを備えている。
【００２３】
図示の例では、主ダストボックス２０は、底板２０２と、前板２０３及び背板２０４、並びに、両側板２０５、２０５を備え、上面を開放させた箱状をなすように構成されている。前板２０３は、主ダストボックス２０の外方を湾曲外側とするように、弧状の水平断面形状を持つ構成とされている。
【００２４】
一方、補助ダストボックス２１は、底板２１２と、前板２１３及び背板２１４を備え、上面を開放させた箱状をなすように構成されている。また、この補助ダストボックス２１の前板２１３は、補助ダストボックス２１の外方を湾曲外側とするように、弧状の水平断面形状を持つ構成とされている。この補助ダストボックス２１の背板２１４は主ダストボックス２０の背板２０４にほぼ平行をなすように構成されており、この補助ダストボックス２１の前板２１３の左右縁部がこの背板２１４の左右縁部に一体に連接されている。すなわち、補助ダストボックス２１は、その水平断面の内外形状を共に、半円よりも小さい円の一部の形状となるようにしている。この補助ダストボックス２１は、その前板２１３の湾曲率を主ダストボックス２０の前板２０３の湾曲率とほぼ等しくするように構成されていると共に、この補助ダストボックス２１の背板２１４の左右寸法は主ダストボックス２０の両側板２０５、２０５の内面間の寸法とほぼ等しくなるようにしてある。それと共に、補助ダストボックス２１の高さ寸法は、主ダストボックス２０の底板２０２内面から上面開口２０１の開口縁２０６までの寸法とほぼ等しくなるようにしてある。これにより、図示の例にあっては、主ダストボックス２０内に補助ダストボックス２１を、補助ダストボックス２１の前板２１３の外面を主ダストボックス２０の前板２０３の内面に接しさせ、かつ、補助ダストボックス２１の背板２１４と主ダストボックス２０の背板２０４とがほぼ平行をなす向きで入れ込ませることにより、主ダストボックス２０内に補助ダストボックス２１をガタつきなく入れ込ませることができるようになっている。
【００２５】
シュレッダ本体１は、下面開口のアッパーキャビネット１１と、このアッパーキャビネット１１の下面開口を塞ぐようにこのアッパーキャビネット１１の下部に組み合わされるロアキャビネット１２とによって形成された内部空間内に、細断機構１０を内蔵させて構成されている。ロアキャビネット１２の下部外周部には、主ダストボックス２０の上面開口２０１の開口縁２０６の輪郭形状に倣った周回内面１２２を持った周回突き出し部１２１が形成されており、図示の例では、この周回突き出し部１２１の周回内面１２２に主ダストボックス２０の上端外面を接しさせ、かつ、前記開口縁２０６をロアキャビネット１２の下面に突き当てさせるように主ダストボックス２０上にシュレッダ本体１を載せ置き状に組み合わせることにより、シュレッダが構成されるようになっている。
【００２６】
かかるシュレッダ本体１はまた、紙を細断する第一細断機構１０’と、紙以外の細断対象物の第二細断機構１０”とを内蔵位置を異ならせるようにして内蔵している。
【００２７】
図示の例では、いずれの細断機構１０も、主軸１０２とこの主軸１０２の軸線方向において隣り合う細断刃体１０３との間に間隔を開けてこの主軸１０２に設けられた複数の細断刃体１０３、１０３…とからなる軸状回転カッター体１０１を、二本並列に配設させることにより構成されている。図示の例では、いずれの細断機構１０も、シュレッダの左右方向に軸状回転カッター体１０１の回転軸を沿わせる向きに配置されている。また、第一細断機構１０’の上方には、アッパーキャビネット１１に開設されたスリット状をなす紙の第一入れ込み部１１１が形成され、また、第二細断機構１０”の上方には、アッパーキャビネット１１に開設されたスリット状をなす紙以外の細断対象物の第二入れ込み部１１２が形成されている。そして、図示の例では、第一入れ込み部１１１から入れ込まれた紙は第一細断機構１０’を構成する一対の軸状回転カッター体１０１、１０１の間に送り込まれ、この一対の軸状回転カッター体１０１、１０１の回転によって細断され、細断片となってロアキャビネット１２に開設された第一排出部１２３から下方に送り出されるようになっている。また、第二入れ込み部１１２から入れ込まれた紙以外の細断対象物は第二細断機構１０”を構成する一対の軸状回転カッター体１０１、１０１の間に送り込まれ、この一対の軸状回転カッター体１０１、１０１の回転によって細断され、細断片となってロアキャビネット１２に開設された第二排出部１２４から下方に送り出されるようになっている。図示の例では、シュレッダ本体１の一側部に設けられたハンドル１３を回転操作させることにより、前記両細断機構１０’、１０”を構成する一対の軸状回転カッター体１０１、１０１を回転駆動させることができるようになっている。シュレッダ本体１内にモータを内蔵させてかかる両細断機構１０’、１０”を構成する一対の軸状回転カッター体１０１、１０１をこのモータによって回転駆動させるようにしておくこともできる。
【００２８】
そして、この実施の形態にあっては、前記第二細断機構１０”における細断によって生じる細断片の第二排出部１２４が補助ダストボックス２１の上面開口２１１の上方に位置し、かつ、第一細断機構１０’における細断によって生じる細断片の第一排出部１２３が補助ダストボックス２１の上面開口２１１の上方に位置されないように、この補助ダストボックス２１を主ダストボックス２０内に位置づけさせる位置決め手段３を備えている。
【００２９】
図示の例にあっては、主ダストボックス２０内への補助ダストボックス２１の入れ込みに方向性があり、かつ、主ダストボックス２０に対するシュレッダ本体１の組み合わせにも方向性があるようになっている。すなわち、主ダストボックス２０内に補助ダストボックス２１を、補助ダストボックス２１の前板２１３の外面を主ダストボックス２０の前板２０３の内面に接しさせ、かつ、補助ダストボックス２１の背板２１４と主ダストボックス２０の背板２０４とがほぼ平行をなす向きで入れ込ませることにより、主ダストボックス２０内に補助ダストボックス２１をガタつきなく入れ込ませることができるようになっていると共に、この入れ込み状態において第二排出部１２４の直下にのみ補助ダストボックス２１の上面開口２１１が位置され、かつ、この補助ダストボックス２１の入れ込み位置を安定的に維持できるようになっている。
【００３０】
これによりこの実施の形態にあっては、第一細断機構１０’における細断から生じる紙の細断片と、第二細断機構１０”における細断から生じる紙以外の細断対象物の細断片とを、分別した状態で廃棄するまでの間ダストボックス２において蓄えておくことができる。典型的には、紙と、紙と分別した廃棄が求められるプラスチック製のシートやフィルムや板などとを、前者の細断片と後者の細断片とが混じらないようにしてダストボックス２に蓄えておくことができる。こうしたプラスチック製のシートやフィルムや板などとしては、例えば、ＯＨＰシートや細断廃棄すべきクレジットカードやコンパクトディスクなどの記録メディアなどがあげられる。
【００３１】
また、紙と紙以外の細断対象物とのいずれか一方のみを細断する必要がある場合、典型的にはもっとも細断処理の頻度が高い紙のみを細断する場合には、主ダストボックス２０内から補助ダストボックス２１を抜き出した状態で、この主ダストボックス２０にシュレッダ本体１を組み合わせることにより、主ダストボックス２０の容量の全てを活用してこの紙の細断片を蓄えておくことができる。
【００３２】
ダストボックス２が細断片で一杯になった場合には、ダストボックス２とシュレッダ本体１とを分離させることにより、容易にこの細断片をダストボックス２から取り出して廃棄させることができる。
【００３３】
前記位置決め手段３は、主ダストボックス２０の底部および補助ダストボックス２１の底部のいずれか一方に形成された突部と、これらの他方に形成されて主ダストボックス２０内への補助ダストボックス２１の入れ込みによってこの突部の入り込む凹部とによって構成させることができる。
【００３４】
図示の例では、前記位置決め手段３の一つを、主ダストボックス２０の底部に形成された突部３０と、補助ダストボックス２１の底部に形成されて主ダストボックス２０内へのこの補助ダストボックス２１の入れ込みによってこの突部３０の入り込む凹部３１とによって構成させている。
【００３５】
このようにした場合、主ダストボックス２０内に補助ダストボックス２１を単純に入れ込むだけで、補助ダストボックス２１の上面開口２１１が第二細断機構１０”の第二排出部１２４の直下に安定的に位置され、かつ、第一細断機構１０’の第一排出部１２３の直下に予期せず位置されてしまうことがないようにすることができる。
【００３６】
また、図示の例では、前記のように、主ダストボックス２０の一つの内側面（前板２０３の内面）に補助ダストボックス２１の一つの外側面（前板２１３の外面）が接するようになっており、
前記位置決め手段３の他の一つを、主ダストボックス２０の底部から突出すると共に、主ダストボックス２０内への補助ダストボックス２１の入れ込みによって、この補助ダストボックス２１の前記一つの外側面（前板２１３の外面）に対向する位置にある他の一つの外側面（背板２１４の外面）に、この補助ダストボックス２１の底部側で接する突出部３２によって構成させている。
【００３７】
図示の例にあっては、これによって、補助ダストボックス２１の装填位置を使用者に明示させることができると共に、主ダストボックス２０内に補助ダストボックス２１を単純に入れ込むだけで、補助ダストボックス２１の上面開口２１１が第二細断機構１０”の第二排出部１２４の直下により安定的に位置され、かつ、第一細断機構１０’の第一排出部１２３の直下に予期せず位置されてしまうことがないようにしている。
【００３８】
また、図示の例では、前記位置決め手段３のさらに他の一つを、シュレッダ本体１の下部から突出すると共に、主ダストボックス２０内に入れ込まれた補助ダストボックス２１の前記一つの外側面（前板２１３の外面）に対向する位置にある他の一つの外側面（背板２１４の外面）に、この補助ダストボックス２１の上部側で接する突出部３３によって構成させている。
【００３９】
図示の例にあっては、これによっても、主ダストボックス２０の所定の位置に補助ダストボックス２１を装填させた後、この主ダストボックス２０上にシュレッダ本体１を載せ置き状に組み合わせることにより、主ダストボックス２０内に入れ込まれた補助ダストボックス２１の上面開口２１１が第二細断機構１０”の第二排出部１２４の直下に位置されるように、この補助ダストボックス２１の上部側においても支持するようになっている。
【００４０】
かかる位置決め手段３は、主ダストボックス２０の上部および補助ダストボックス２１の上部のいずれか一方に形成された上下方向に延びるリブと、これらの他方に形成されると共にこれらの他方の上面開口（つまり、上面開口２０１又は上面開口２１１）において溝上端を解放させて主ダストボックス２０内への補助ダストボックス２１の入れ込みによって前記リブの入り込む割溝とによって構成されておくこともできる。
【００４１】
図８に示される例にあっては、補助ダストボックス２１の上部であって、その前板２１３と背板２１４との連接箇所近傍の外面に形成された上下方向に延びるリブ３５と、主ダストボックス２０の両側板２０５、２０５にそれぞれ形成されたこの主ダストボックス２０の上面開口２０１において溝上端を解放させて主ダストボックス２０内への補助ダストボックス２１の入れ込みによって前記リブ３５の入り込む割溝３４とによって、かかる位置決め手段３を構成させている。
【００４２】
このようにした場合にも、主ダストボックス２０内に補助ダストボックス２１を単純に入れ込むだけで、補助ダストボックス２１の上面開口２１１が第二細断機構１０”の第二排出部１２４の直下に安定的に位置され、かつ、第一細断機構１０’の第一排出部１２３の直下に予期せず位置されてしまうことがないようにすることができる。
【図面の簡単な説明】
【００４３】
【図１】シュレッダの正面図
【図２】同背面図
【図３】同右側面図
【図４】同平面図
【図５】同一部破断平面図
【図６】同断面図
【図７】ダストボックス２の斜視図
【図８】ダストボックス２の他のバリエーションを示した斜視図
【符号の説明】
【００４４】
１  シュレッダ本体
１０’第一細断機構
１０”  第二細断機構
１２３  第一排出部
１２４  第二排出部
２０  主ダストボックス
２０１  上面開口
２１  補助ダストボックス
２１１  上面開口
３  位置決め手段
【図１】
2005305319.tif 000003
【図２】
2005305319.tif 000004
【図３】
2005305319.tif 000005
【図４】
2005305319.tif 000006
【図５】
2005305319.tif 000007
【図６】
2005305319.tif 000008
【図７】
2005305319.tif 000009
【図８】
2005305319.tif 000010